(57)【要約】      （修正有）【課題】カバーから取り出さずにパソコン操作することができ、可撓性があるので使用しない時は折り畳んで小さくでき、またハンドルに簡単に装着して車内でも操作できるノートパソコン携帯カバーを提供する。【解決手段】ノートパソコンの本体部の底面を覆う本体側カバー１０と、ディスプレイ部の上面を覆うディスプレイ側カバー１１とを可撓性の生地で折り畳み自在に形成したカバー本体６の、本体側カバー１０とディスプレイ側カバー１１とを折り畳んだ状態で対向する周縁部に面ファスナー７Ａ、７Ｂ、８Ｂを着脱自在に取付けると共に、カバー本体６の長手方向に沿った両端に取っ手１３を取付け、本体側カバー１０に空気取入れ窓１４と熱風排気窓１６を開孔し、本体側カバー１０の外側面に自動車のハンドルに被せる袋状の支持カバー２３を設けた。【選択図】図１
0003151753.tif 000002
【実用新案登録請求の範囲】
【請求項１】
ノートパソコンの本体部の底面を覆う本体側カバーと、ディスプレイ部の上面を覆うディスプレイ側カバーとを可撓性の生地で折り畳み自在に形成したカバー本体の、前記本体側カバーとディスプレイ側カバーとを折り畳んだ状態で対向する周縁部に面ファスナーを着脱自在に取付けると共に、カバー本体の内側面にノートパソコンの本体部の底面とディスプレイ部の上面に取付けた面ファスナーと接合する面ファスナーとを取付け、更にカバー本体の長手方向に沿った両端に取っ手を取付けると共に、本体側カバーに空気取入れ窓と熱風排気窓を開孔したことを特徴とするノートパソコン携帯カバー。
【請求項２】
本体側カバーの外側面に、自動車のハンドルの上部側に被せてノートパソコンを支持する支持カバーを取付けたことを特徴とする請求項１記載のノートパソコン携帯カバー。
【考案の詳細な説明】
【技術分野】
【０００１】
本考案は、ノートパソコンを携帯するカバーから取り出さずに操作することができる携帯カバーに関するものである。
【背景技術】
【０００２】
近年、硬質のプラスチックで鞄状に形成されたキャリアーケースに入れて持ち運びできるノートパソコンが普及してきている。一般に外出先では、キャリアーケースからノートパソコンを取出して、テーブルの上に広げて操作することが多いが、使用する度にキャリアーケースから取出し、使用後は再びケースに収納しなければならず面倒であった。またノートパソコンを持って自動車で移動する場合に、自動車を止めて車内で操作する場合もある。しかしながら、運転席にはハンドルがあるため、膝の上にノートパソコンを広げて操作する場合、ハンドルが邪魔になって操作性が悪い問題があった。
【０００３】
このため、支持金具をハンドルに引っ掛け、この支持金具に小さなテーブルを取付けてテーブルを水平に支持し、この上にノートパソコンを載せて広げるようにしたハンドル取付け用テーブルが開発されている（特許文献１）。また物置台（テーブル）と背板を蝶番で開閉自在に組み立てると共に、物置台と背板を連結する鎖状のひもで連結し、更に背板に取付けた鎖状のひもとフックをハンドルに取付けて物置台をハンドルに支持させたものも提案されている（特許文献２）。
【０００４】
しかしながら、これら従来の構造はテーブル（物置台）をハンドルに連結する構造で、テーブルを使用しない時は、これを狭い車内に保管しておくスペースが必要となる。また支持金具をハンドルに引っ掛ける構造では、ハンドルの大きさや形状によっては取付けられない場合もあった。
【先行技術文献】
【特許文献】
【０００５】
【特許文献１】特開２００３−１９９２５
【特許文献２】実用新案登録第３１２７１０６号
【考案の概要】
【考案が解決しようとする課題】
【０００６】
本考案は上記問題を改善し、カバーから取り出さずにパソコン操作することができ、可撓性があるので使用しない時は折り畳んで小さくでき、またハンドルに簡単に装着して車内でも操作できるノートパソコン携帯カバーを提供するものである。
【課題を解決するための手段】
【０００７】
本考案の請求項１記載のノートパソコン携帯カバーは、ノートパソコンの本体部の底面を覆う本体側カバーと、ディスプレイ部の上面を覆うディスプレイ側カバーとを可撓性の生地で折り畳み自在に形成したカバー本体の、前記本体側カバーとディスプレイ側カバーとを折り畳んだ状態で対向する周縁部に面ファスナーを着脱自在に取付けると共に、カバー本体の内側面にノートパソコンの本体部の底面とディスプレイ部との上面に取付けた面ファスナーと接合する面ファスナーを取付け、更にカバー本体の長手方向に沿った両端に取っ手を取付けると共に、本体側カバーに空気取入れ窓と熱風排気窓を開孔したことを特徴とするものである。
【０００８】
本考案の請求項２記載のノートパソコン携帯カバーは、請求項１において本体側カバーの外側面に、自動車のハンドルの上部側に被せてノートパソコンを支持する支持カバーを取付けたことを特徴とするものである。
【考案の効果】
【０００９】
本考案に係る請求項１記載のノートパソコン携帯カバーによれば、ノートパソコンへの取付が容易で、取っ手が設けられているので携帯に便利である。またノートパソコン携帯カバーは、クッション性がありノートパソコンを衝撃から保護することができる。また可撓性の生地で形成されているので使用しない時は小さく折り畳んでおくことができる。外出先で使用する時には、ノートパソコン携帯カバーで覆ったディスプレイ部を開いて、そのまま使用することができる。また空気取入れ窓と、熱風排気窓を開けて使用すると、熱が籠もることなく長時間使用することができる。
【００１０】
また請求項２記載のノートパソコン携帯カバーによれば、本体側カバーの外側面に、自動車のハンドルの上部側に支持カバーを被せるだけで、ノートパソコンをハンドルの傾斜と同じ角度で傾斜した状態で支持できるので車内での操作性に優れている。
【考案を実施するための最良の形態】
【００１１】
以下本考案の実施の一形態を図１ないし図６を参照して詳細に説明する。図５において１はノートパソコン携帯カバーで、２はノートパソコンで、このノートパソコン２は、機器を内蔵し上面にキーボード３を設けた本体部４と、この端部に開閉自在に取付けられたディスプレイ部５とで構成されている。ディスプレイ部５の上面には図３に示すように四角形状の面ファスナー８Ａが複数個取り付けられている。同様に本体部４の底面にも図示しない複数個の面ファスナーが取付けられている。
【００１２】
前記ノートパソコン携帯カバー１のカバー本体６は、図１および図２に示すようにノートパソコン２の本体部４の底面を覆う本体側カバー１０と、ディスプレイ部５の上面を覆うディスプレイ側カバー１１とがキルティングなどの可撓性とクッション性のある生地で折り畳み自在に形成されている。本体側カバー１０とディスプレイ側カバー１１の内側の両端には、中間で折り畳んだ状態で対向する周縁部に長方形状の面ファスナー７Ａ、７Ｂが取付けられている。また本体側カバー１０の左右にも長方形状の面ファスナー７Ａ、７Ａが突設されている。更に、この面ファスナー７Ａ、７Ａと接合する面ファスナー７Ｂ、７Ｂは図２に示すようにディスプレイ側カバー１１の外側面の左右縁部に取付けられている。
【００１３】
また図１に示すように、カバー本体６の内側面にノートパソコン２の本体部４の底面とディスプレイ部５の上面に取付けた正方形状の面ファスナー８Ａと接合する面ファスナー８Ｂが取付けられている。更にカバー本体６の内側面に、その長手方向に沿ってベルトを長円形状に取付け、そのベルトの両端をカバー本体６の両端から外側に引き出して湾曲した取っ手１３、１３が形成されている。
【００１４】
またカバー本体６の本体側カバー１０の中央部には、空気取入れ窓１４が開孔され、ここを塞ぐように蓋１５、１５が開閉自在に取付けられている。また本体側カバー１０の折り畳み部分の近傍には、熱風排気窓１６が開孔され、ここにも蓋１８が開閉自在に取付けられ、その重ね合わせ部分に面ファスナー９Ａ、９Ｂが取付けられている。また熱風排気窓１６の横には、電源差込スリット１９と、ＵＳＢ差込スリット２０が形成されている。
【００１５】
またカバー本体６の外側面には、図２に示すようにＵ字形の湾曲部２２を形成した袋状の支持カバー２３が設けられている。このＵ字形の湾曲部２２の内側には横方向に補強ベルト２４が取付けられている。また袋状の支持カバー２３には折り返し部２５が形成され、使用する時に広げるようになっている。なお図３において２７は熱風排気口、２８は電源差込口、２９はＵＳＢ差込口である。
【００１６】
上記構成のノートパソコン携帯カバー１でノートパソコン２を携帯する場合は、図３に示すように、予めノートパソコン２のディスプレイ部５の上面に、複数個の正方形状の面ファスナー８Ａを取付け、本体部４の底面に図示しない複数個の面ファスナーを取付けておく。次に、ノートパソコン携帯カバー１を広げて、ノートパソコン２を、その本体部４を下にして、ここに取付けた面ファスナーを本体側カバー１０の面ファスナー８Ｂに合わせて載せ接合する。
【００１７】
次にディスプレイ側カバー１１を折り曲げて、ディスプレイ部５を覆い、図１に示す取っ手１３の近傍の長方形状の面ファスナー７Ａ、７Ｂを接合した後、本体側カバー１０の左右に突設した面ファスナー７Ａ、７Ａを、図２に示すディスプレイ側カバー１１の外側面の左右に取付けられている面ファスナー７Ｂ、７Ｂに接合して、図４の状態にする。このようにして取っ手１３を持ってノートパソコン２を携帯する。
【００１８】
またノートパソコン携帯カバー１はキルティングで形成されているので、クッション性がありノートパソコン２を衝撃から保護することができる。またキルティングは可撓性があるので使用しない時は小さく折り畳んでおくことができる。
【００１９】
また外出先で使用する時には、図５に示すように面ファスナー７Ａ、７Ｂを剥がして、ディスプレイ部５を開らけば、そのまま使用することができる。この時、空気取入れ窓１４に設けた蓋１５、１５と、熱風排気窓１６に設けた蓋１８を開けておく。このようにノートパソコン携帯カバー１には、ノートパソコン２の本体部４に設けた吸気ファンに対向して空気取入れ窓１４と、熱風排気口２７に対向して熱風排気窓１６が開孔されているので、内部に熱が籠もることがなく長時間使用することができる。
【００２０】
また自動車の車内でノートパソコン２を使用する場合、図４に仮想線で示すように折り返し部２５を外して広げてから反転させ、袋状の支持カバー２３を上にして図６に示すように運転席側に向けて、ハンドル３０の上部側に被せてノートパソコン２を支持する。この後、面ファスナー７Ａ、７Ｂを剥がしてディスプレイ部５を開いて起こす。この状態でノートパソコン２のキーボード３を設けた本体部４は、ハンドル３０の傾斜と同じ角度で傾斜しているので、キーボード３の操作が容易である。
【００２１】
なお上記説明ではノートパソコン携帯カバー１をキルティングで形成した場合について示したが、フェルト状の厚い布や、またクッション材を入れたプラスチックシートなど可撓性のあるシートを縫製して形成したものでも良い。
【図面の簡単な説明】
【００２２】
【図１】本考案の実施の一形態によるノートパソコン携帯カバーを示す平面図である。
【図２】図１のノートパソコン携帯カバーを示す底面図である。
【図３】図１のノートパソコン携帯カバーにノートパソコンを取付けている状態を示す斜視図である。
【図４】ノートパソコンをノートパソコン携帯カバーで覆った状態を示す斜視図である。
【図５】ノートパソコン携帯カバーで覆ったノートパソコンを開いた状態を示す斜視図である。
【図６】図５のノートパソコンをハンドルに支持させた状態を示す斜視図である。
【符号の説明】
【００２３】
１    ノートパソコン携帯カバー                              
２    ノートパソコン                                        
３    キーボード                                            
４    本体部                                                
５    ディスプレイ部                                        
６    カバー本体                                            
７Ａ、７Ｂ    面ファスナー                                  
８Ａ、８Ｂ    面ファスナー                                  
１０  本体側カバー                                          
１１  ディスプレイ側カバー                                  
１３  取っ手                                                
１４  空気取入れ窓                                          
１５  蓋                                                    
１６  熱風排気窓                                            
１８  蓋                                                    
１９  電源差込スリット                                      
２０  ＵＳＢ差込スリット                                    
２２  Ｕ字形の湾曲部                                        
２３  袋状の支持カバー                                      
２４、補強ベルト                                            
２５  折り返し部                                            
２７  熱風排気口                                            
２８  電源差込口                                            
２９  ＵＳＢ差込口                                          
３０  ハンドル                                                          
【図１】
0003151753.tif 000003
【図２】
0003151753.tif 000004
【図３】
0003151753.tif 000005
【図４】
0003151753.tif 000006
【図５】
0003151753.tif 000007
【図６】
0003151753.tif 000008